(57)【特許請求の範囲】
【請求項１】
強化繊維に合成樹脂を含浸させたシート状の部材を複数枚、積層することで形成される扁平状の穂先竿杆を具備した釣竿であって、
前記複数枚のシート状の部材は、穂先竿杆を構成する本体シートと、この本体シートよりも軸長方向の長さが短く、基端側に積層される１枚以上の補強シートとを備え、
前記シート状の部材を積層した際に生じる段部に、剥離防止部材を被着したことを特徴とする釣竿。
【請求項２】
前記積層されるシート状の部材は、上層側ほど、曲げ弾性率の低い材料で形成されていることを特徴とする請求項１に記載の釣竿。
【請求項３】
前記積層されるシート状の部材は、上層側ほど、薄く形成されていることを特徴とする請求項１又は２に記載の釣竿。
【請求項４】
前記剥離防止部材は、前記積層された状態のシート状の部材の上側から被着され、前記本体シート上に積層される最初の補強シート以上の長さを有する薄膜シートであることを特徴とする請求項１から３のいずれか１項に記載の釣竿。
【請求項５】
前記薄膜シートは、積層方向に沿う外圧を加えながら加熱、成形することで被着されることを特徴とする請求項４に記載の釣竿。
【請求項６】
前記積層されるシート状の部材は、各層毎に視認可能となる目印が付与されていることを特徴とする請求項１から５のいずれか１項に記載の釣竿。
【発明の詳細な説明】
【技術分野】
【０００１】
本発明は、釣竿に関し、詳細には、穂先竿杆に特徴を有する釣竿に関する。
【背景技術】
【０００２】
従来、釣竿として、例えば特許文献１に開示されているように、合成樹脂またはガラス繊維からなる弾性体を肉薄扁平構造にして穂先竿杆に用いた構成が知られている。このように穂先竿杆を扁平構造にすることで、穂先感度が高められ、ワカサギのような小魚の当たりを把握し易くすることが可能となる。
【特許文献１】実開昭５１−６２４８９号
【発明の開示】
【発明が解決しようとする課題】
【０００３】
ところで、弾性体を肉薄扁平構造にした穂先竿杆は、長さ方向に沿って剛性変化が一定であるため、魚が掛かった際に先端部分のみを微妙に変化させたり、掛かった魚の匹数を把握させることが困難となる。このため、軸方向に沿って剛性変化を持たせるように、肉薄扁平構造の穂先竿杆を複合素材、具体的には、複数のシート状の部材を積層することで形成することが考えられるが、各素材間において剥離などが生じ易く、耐久性に問題が生じてしまう。
【０００４】
本発明は、上記した問題に基づいてなされたものであり、感度が良く、耐久性に優れた構成の穂先竿杆を備えた釣竿を提供することを目的とする。
【課題を解決するための手段】
【０００５】
上記した目的を達成するために、本発明に係る釣竿は、強化繊維に合成樹脂を含浸させたシート状の部材を複数枚、積層することで形成される扁平状の穂先竿杆を具備しており、前記複数枚のシート状の部材は、穂先竿杆を構成する本体シートと、この本体シートよりも軸長方向の長さが短く、基端側に積層される１枚以上の補強シートとを備え、前記シート状の部材を積層した際に生じる段部に、剥離防止部材を被着したことを特徴とする。
【０００６】
上記した構成の釣竿によれば、穂先竿杆が扁平状に形成されていることから、穂先感度が良く、小さい魚の当たりも感知することが可能となる。この場合、穂先竿杆は、シート状の部材を複数枚、積層した構造となっており、補強シートを基端側に積層することから、穂先竿杆に、長さ方向に沿って剛性変化を与えることができ、より穂先部分の感度を高めることが可能となる。また、シート状の部材を積層した際に生じる段部には、剥離防止部材が被着されているため、穂先竿杆が撓んだ際に生じ易い剥離を防止でき、耐久性の向上が図れる。
【発明の効果】
【０００７】
本発明によれば、感度が良く、耐久性に優れた構成の穂先竿杆を備えた釣竿が得られるようになる。
【発明を実施するための最良の形態】
【０００８】
図１から図５は、本発明に係る釣竿の一実施形態を示す図であり、図１は全体構成を示す図、図２は穂先竿杆の構成を示す側面図、図３は穂先竿杆が撓んだ状態を示す側面図、図４は、穂先竿杆に用いられる剥離防止部材の構成を示す側面図、そして、図５は、図４に示した剥離防止部材を被着した状態を示す側面図である。
【０００９】
本実施形態の釣竿１は、例えば、ワカサギのような小さい魚を釣るのに適した構造となっており、元竿杆３に穂先竿杆５を継合させる、いわゆる２本継ぎの釣竿として構成されている。この場合、穂先竿杆５は、保持部材２０に形成される水平状の保持部（嵌入穴）２１に保持された状態で、保持部材２０を元竿杆３の先端開口３ａ内に挿入することで継合されるようになっている。
【００１０】
前記元竿杆３は、管状体に構成されており、例えば、強化繊維（主に炭素繊維やガラス繊維など）に合成樹脂を含浸した、いわゆるプリプレグシートを芯金に巻回し、加熱工程を経た後、脱芯する等、定法に従って所定の寸法に形成されている。このように形成される元竿杆３の基端側の外周には、釣糸を巻回するリールＲを装着するためのリール載置部（詳細な構成については図示しない）が設けられている。
【００１１】
また、前記穂先竿杆５は、炭素繊維、ガラス繊維等の強化繊維に合成樹脂を含浸させたシート状の部材を複数枚積層し、これを加熱成形することで、各シート状の部材が層状に密着した扁平構造に形成されている。また、その外面には、リールＲから繰り出される釣糸を案内する釣糸ガイド７が所定間隔をおいて取着されている。
【００１２】
穂先竿杆を構成すべく、積層されるシート状の部材は、穂先竿杆５の全体長さを構成する本体シート５Ａと、この本体シート５Ａよりも軸長方向の長さが短く、基端側に積層される補強シートを備えている。この場合、基端側に積層される補強シートは、１枚以上あれば良く、本実施形態では、撓み方向を下層側とした本体シート５Ａの上に、２枚の補強シート６Ａ，６Ｂを積層した構造となっている。
【００１３】
そして、このように、本体シート５Ａに対して複数枚（２枚以上）の補強シート６Ａ，６Ｂを積層する構造では、図２に示すように、上層側の補強シート６Ｂをその下層側の補強シート６Ａよりも短くし、穂先竿杆として、基端側に移行するに連れて厚肉化するよう構成することが好ましい。
【００１４】
このように、基端側に移行するにつれて積層枚数が増える構造では、長さ方向に沿って段階的に剛性変化が得られるようになる。すなわち、基端側の剛性が次第に高まって曲がり難くなり、かつ穂先側が低い剛性となるため、穂先側において魚の当たりが感知し易くなる。
【００１５】
また、上記のように積層される本体シート５Ａ、及び補強シート６Ａ，６Ｂは、先端に移行するに連れて、横幅が次第に狭くなるように構成することが好ましい。このように長さ方向に沿って幅が変化する構成においても、基端側の剛性が次第に高まって、先端側よりも曲がり難い構成にすることが可能となる。
【００１６】
上記したようにシート状の部材（本体シート５Ａ，補強シート６Ａ，６Ｂ）を積層する構造では、その境界部分８に段部が生じており、図３に示すように、魚が掛かって穂先竿杆５が下方に撓んだ際、その境界部分８において剥離が生じ易くなってしまう。このため、そのような境界部分（段部）８には、後述するように、剥離防止部材１０を被着して、剥離を防止するようにしている。
【００１７】
また、上記した本体シート５Ａ，補強シート６Ａ，６Ｂは、厚くなり過ぎると、剛性が高まって感度が低下する等の問題が生じ、薄くし過ぎると、曲げ強度が低下して破損する等の問題が生じるため、各シート状の部材の厚さは、０．０３〜１．０ｍｍ、好ましくは、０．０５〜０．３ｍｍの範囲に設定される。
【００１８】
この場合、積層されるシート状の部材は、上記した範囲内において、上層側ほど、薄く形成されていることが好ましい。積層されるシート状の部材がこのような厚さ関係に設定されることで、穂先竿杆が図３に示すように撓んでも、境界部分８において剥離し難い構造とすることができる。
【００１９】
また、各層を構成する本体シート５Ａ，補強シート６Ａ，６Ｂは、主に強化繊維が軸長方向に引き揃えられた構成（一方向強化繊維）とされるが、強化繊維については、斜向した方向に引き揃えられていたり、織布状にされたものであっても良い。本実施形態では、本体シート５Ａは、炭素繊維を軸長方向に引き揃えたシート材、補強シート６Ａは、ガラス繊維を軸長方向に引き揃えたシート材、補強シート６Ｂについても同様なガラス繊維を含んだシート材によって構成されている。
【００２０】
この場合、上記のように積層されるシート状の部材は、上層側ほど、曲げ弾性率の低い材料（伸びのある材料）で構成されていることが好ましい。このような構成によれば、穂先竿杆が図３に示すように撓んでも、境界部分８で剥離し難い構造とすることができる。
【００２１】
そして、上記したように積層されたシート状の部材（本体シート５Ａ，補強シート６Ａ，６Ｂ）の境界部分８となる段部には、剥離防止部材１０が被着されている。本実施形態の剥離防止部材１０は、図４に示すように、積層された状態のシート状の部材の上側から被着される薄膜シートとして構成されている（以下、薄膜シート１０と称する）。
【００２２】
この薄膜シート１０は、例えば、エポキシ、ポリエステル、フェノールなどの合成樹脂によって構成されており、少なくとも、本体シート５Ａ上に積層される最初の補強シート６Ａ以上の長さを有することが好ましい。すなわち、このような長さを有する薄膜シートを用いることで、一度に全ての境界部分８を覆うことが可能となり、被着工程を容易に行うことが可能となる。特に、薄膜シート１０を、図４に示すように、本体シート５Ａよりも長いものを用いることで、図５に示すように、薄膜シート１０を積層した後、加熱して樹脂を溶融させると、表面上に均一な状態に被着層１０´が形成されるため、本体シート５Ａ，補強シート６Ａ，６Ｂによる軸長方向の剛性の変化状態を維持することが可能となる。
【００２３】
また、薄膜シート１０を被着するに際しては、積層方向に沿う外圧を加えながら加熱、成形することが好ましい。このような被着工程によれば、境界部分８に生じている段部がなだらかな面８ａとなり、剛性変化もなだらかになるため、補強シートがより剥離しにくい構成となる。なお、積層する前のシートの段階で端部を潰しておいたり、斜め状にカットするなど、予めなだらかな面８ａを形成しておいても良い。
【００２４】
上記したように、積層されたシート状の部材の全面に亘って薄膜シート１０を被着することで、扁平状の穂先竿杆５として肉厚変化を少なくすることができ、応力集中による剥離や、折れ等を効果的に抑制することが可能となる。
【００２５】
そして、以上のように構成される扁平状の穂先竿杆５によれば、ワカサギのような小さな魚の微妙なアタリを敏感に感知させることが可能となり、しかも穂先の変形量が目視し易くなるため、魚が掛かった際の匹数が想定し易くなる。この場合、上記したように積層されるシート状の部材に関し、各層毎に視認可能となる目印を付与しておくことで、変形量を視覚的に把握し易くなり、更に掛かった魚の匹数を想定し易くなる。このような目印は、例えば、本体シート５Ａ，補強シート６Ａ，６Ｂ毎に色分けしておいたり、或いは、上記した境界部分８にマーキングを付与しておけば良い。
【００２６】
以上、本発明の実施形態について説明したが、本発明は、上記した実施形態以外にも、適宜、変形することが可能である。
【００２７】
上記した構成では、剥離防止部材として、全面に亘って被着される薄膜シートを用いたが、図６に示すように、境界部分８のみに帯状の剥離防止部材１０Ａを巻回して覆う構成であっても良いし、或いは、境界部分８を跨いで一部分にシートを被着しても良い。
【００２８】
そして、このような構成では、剥離防止部材１０Ａを利用して、リールＲ（図１参照）から繰り出される釣糸を案内する釣糸ガイド７の固定載置部７ａを併せて止着するようにしても良く、剥離の防止機能と、釣糸ガイドの止着機能を兼ね備えることも可能となる。
【００２９】
また、積層される各シート状の部材の間には、層間密着を良くするために、界面活性剤を介在させておいても良い。
【００３０】
また、上記した実施形態では、本体シート５Ａは、撓み方向の最下層として構成されていたが、最上層として構成しても良い。このような構成では、本体シート５Ａを剥離防止部材とすることも可能となる。
【００３１】
さらに、上記した積層されるシート状の部材の構成（厚さ、長さ、幅など）や、積層枚数については、上記した実施形態に限定されることはなく、種々変形することが可能である。例えば、穂先竿杆５を構成する本体シートに関しては、同一の大きさのシート材を複数枚、積層した構成であっても良い。
【図面の簡単な説明】
【００３２】
【図１】本発明に係る釣竿の一実施形態を示す図であり、全体構成を示す図。
【図２】穂先竿杆の構成を示す側面図。
【図３】穂先竿杆が撓んだ状態を示す側面図。
【図４】穂先竿杆に用いられる剥離防止部材の構成を示す側面図。
【図５】図４に示した剥離防止部材を被着した状態を示す側面図。
【図６】剥離防止部材の変形例を示す図。
【符号の説明】
【００３３】
１  釣竿
３  元竿杆
５  穂先竿杆
５Ａ  本体シート
６Ａ，６Ｂ  補強シート
８  境界部分（段部）
１０，１０Ａ  剥離防止部材
【図１】
0004771488.tif 000002
【図２】
0004771488.tif 000003
【図３】
0004771488.tif 000004
【図４】
0004771488.tif 000005
【図５】
0004771488.tif 000006
【図６】
0004771488.tif 000007